(57)【要約】【課題】放電電極間の離間距離の設定の自由度を向上することのできる放電電極バーを提供する。【解決手段】放電電極バー100はケース101を有し、断面逆U字形のケース101の内部には、高電圧ユニット104と、電源回路や例えば表示回路やＣＰＵを含む制御ユニット105がケース101の長手方向に配置され、その下方且つ間隔を隔ててエアユニット102が配置され、このフランジ113を備えたエアユニット102によってケース101の長手方向に延びる独立エア通路が形成されている。エアユニット102は、長手方向に間隔を隔てて配置された下方に突出した円筒部分133を有し、この円筒部分133に放電電極組立体103を嵌合させることで放電電極組立体103がエアユニット102に装着される。【選択図】図7
2010257992.tif 000002
【特許請求の範囲】
【請求項１】
細長いケースの長手方向に互いに離間して複数の放電電極が配置され、該放電電極に高電圧を印加することによりイオンを発生するイオン化装置の放電電極バーであって、
左右の側壁の上端が閉塞し、下方に向けて開放した断面形状を有するケースと、
該ケースの上方領域に配設され且つケースの長手方向に並んで配置された高圧電源ユニット及び制御ユニットと、
前記ケースの下方且つ前記高圧電源ユニット及び前記制御ユニットから間隔を隔てて位置し、該ケースの長手方向に延び且つ該ケース内の雰囲気から隔絶した独立エア通路を形成するエアユニットと、
前記放電電極を支持する放電電極組立体であって、前記エアユニットの長手方向に間隔を隔てて取り付けられた複数の放電電極組立体とを有し、
前記エアユニットが、長手方向に間隔を隔てて位置し且つ下方に向けて突出した複数の円筒部分を備え、
該円筒部分に前記放電電極組立体が嵌合することにより、該放電電極組立体が前記エアユニットに対して脱着可能に組み付けられ、
前記放電電極組立体を前記エアユニットの円筒部分に装着することで、エア源から供給されたエアが前記エアユニットの独立エア通路を介して各放電電極組立体に分配され、各放電電極組立体に分配されたエアが前記放電電極の近傍から外部に吐出されることを特徴とする放電電極バー。
【請求項２】
前記放電電極組立体が、前記放電電極に沿って延びる小径部分と、該小径部分と同軸の且つ前記エアユニットの円筒部分と脱着可能に嵌合する外筒部分とを有し、
前記放電電極組立体を前記エアユニットの円筒部分に装着することで、前記エアユニットから前記放電電極の近傍のエア吐出ポートへのエア放出通路が形成される、請求項１に記載の放電電極バー。
【請求項３】
前記高圧電源ユニットが生成した高電圧を前記放電電極に供給するために該放電電極の後端面が接触する接点が前記エアユニットに設けられ、該接点が前記エア放出通路から隔絶されている、請求項２に記載の放電電極バー。
【請求項４】
前記高圧電源ユニットが密閉ボックス内に封入されている、請求項1〜３のいずれか一項に記載の放電電極バー。
【請求項５】
前記ケースの左右の側壁の各々の下端部に、該ケースの長手方向に延びる溝を有し、
前記エアユニットには、前記溝に受け入れられる突起が形成され、これら溝と突起との係合によって前記エアユニットが前記ケースに取り付けられている、請求項１〜４のいずれか一項に放電電極バー。
【請求項６】
前記エアユニットの突起が、該エアユニットの長手方向に延びる突条で構成されている、請求項５に記載の放電電極バー。
【請求項７】
前記ケースの内部に、前記高圧電源ユニット及び前記制御ユニットと、その下方の前記エアユニットとの間に位置する仕切壁を有する、請求項１〜６のいずれか一項に記載の放電電極バー。
【請求項８】
前記ケースの左右の側壁の下端部に亘って位置して、該ケースの開放した下端を覆うようにして配置されたＧＮＤプレートを更に有し、
該ＧＮＤプレートは、前記放電電極組立体の外形輪郭から離間した縁を備えて開口を備え、該開口は、該開口の縁と前記放電電極組立体との間に沿面経路が出来るのを防止することのできる大きさを有する、請求項１〜７のいずれか一項に記載の放電電極バー。
【請求項９】
前記ケースが左右に分割可能な２つの分割ケースで構成され、この２つの分割ケースを組み立てたときに前記ケースが下方に向けて開放した逆Ｕ字状の断面形状を有する、請求項１〜８のいずれか一項に記載の放電電極バー。
【請求項１０】
前記２つの分割ケースのいずれか一方の分割ケースに形成された長手方向に延びる突起を、他方の分割ケースに形成された溝で受け入れることにより、前記２つの分割ケースがスライド係合により一体化される、請求項９に記載の放電電極バー。
【請求項１１】
前記２つの分割ケースを分離した状態で、前記高圧電源ユニット及び前記制御ユニットの組み付けが可能である、請求項９又は１０に記載の放電電極バー。
【請求項１２】
前記ケースの長手方向各端の開口を覆うエンドキャップを更に有し、
該エンドキャップのエアポートを通じてエア源から前記エアユニットにエアが供給される、請求項１１に記載の放電電極バー。
【発明の詳細な説明】
【技術分野】
【０００１】
この発明は、空気中の静電気制御に関し、より詳しくはイオン化装置の放電電極バーに関する。
【背景技術】
【０００２】
クリーンルームでの清浄化や浮遊粒子の帯電防止など、空気中の静電気制御のために静電気除去（除電）が行われているが、この非接触の除電に、コロナ放電式のイオン化装置が多用されている。
【０００３】
図１〜図２は、現在入手可能なＤＣイオン化装置に含まれる放電電極バーを示す。この放電電極バー１は、細長い筒状のケース２を有し、このケース２には、長手方向に沿って互いに間隔を隔てて配置された複数の放電電極３（図１）を有し、ケース２の内部には、隣接する放電電極３、３の間に高圧電源ユニット４又は制御ユニット５が収容されていた。また、放電電極バー１は、そのケース２が、上下に分割した上分割ケース部７と下分割ケース部８とから構成されていた（図２）。
【０００４】
なお、複数の放電電極組立体３のうち、正極には３ａを付し、負極には３ｂを付して、図面上、識別してある。これら放電電極３の回りには、ケース２の内部に配置した可撓性チューブ６を通じてエアを供給することができるようになっている。
【発明の概要】
【発明が解決しようとする課題】
【０００５】
従来の放電電極バー１にあっては、隣接する放電電極３と３との間に、高圧電源ユニット４及び制御ユニット５を配置する構成が採用されていたため、隣接する放電電極３と３との間の最小設計距離が高圧電源ユニット４又は制御ユニット５の大きさによって制約を受けるという問題を有していた。このことから、例えば、放電電極バー１をワークの近くに配置しようとすると、除電効果にムラが発生し易くなるという問題があった。
【０００６】
また、放電電極バー１を組み立てるには、先ず、下分割ケース部８に高電圧ユニット４、制御ユニット５を固定しなければならないが、その際、奥行きのある下分割ケース部８の中に、高電圧ユニット４と制御ユニット５とを挿入してこれを固定する作業を、全て、下分割ケース部８の幅狭の開口８ａを通じて行わなければならないため、下分割ケース部８の開口８ａを無理やり広げた状態で上記の作業を行うことが多く、極めて作業性が悪いものであった。
【０００７】
本発明の目的は、放電電極バーの放電電極の離間距離の設定の自由度を向上することのできるイオン化装置及びその放電電極バーを提供することにある。
本発明の更なる目的は、放電電極バーの内蔵部品の組み付け作業を向上することのできるイオン化装置及びその放電電極バーを提供することにある。
本発明の他の目的は、雰囲気の気流を極力乱すことのない放電電極バーを提供することにある。
【課題を解決するための手段】
【０００８】
上記の技術的課題は、本発明によれば、
細長いケースの長手方向に互いに離間して複数の放電電極が配置され、該放電電極に高電圧を印加することによりイオンを発生するイオン化装置の放電電極バーであって、
左右の側壁の上端が閉塞し、下方に向けて開放した断面形状を有するケースと、
該ケースの上方領域に配設され且つケースの長手方向に並んで配置された高圧電源ユニット及び制御ユニットと、
前記ケースの下方且つ前記高圧電源ユニット及び前記制御ユニットから間隔を隔てて位置し、該ケースの長手方向に延び且つ該ケース内の雰囲気から隔絶した独立エア通路を形成するエアユニットと、
前記放電電極を支持する放電電極組立体であって、前記エアユニットの長手方向に間隔を隔てて取り付けられた複数の放電電極組立体とを有し、
前記エアユニットが、長手方向に間隔を隔てて位置し且つ下方に向けて突出した複数の円筒部分を備え、
該円筒部分に前記放電電極組立体が嵌合することにより、該放電電極組立体が前記エアユニットに対して脱着可能に組み付けられ、
前記放電電極組立体を前記エアユニットの円筒部分に装着することで、エア源から供給されたエアが前記エアユニットの独立エア通路を介して各放電電極組立体に分配され、各放電電極組立体に分配されたエアが前記放電電極の近傍から外部に吐出されることを特徴とする放電電極バーを提供することにより達成される。
【０００９】
本発明の好ましい実施の形態にあっては、ケースが、該ケースの内部の上下に実質的に仕切るベースプレート部分を備えている。このベースプレートにより、ケース内部が実質的に上方空間と下方空間に仕切られ、上方空間に、熱を発生する高圧電源ユニットが収容されているため、ケース内の例えば保護材や充填材がガス化しても、下方空間への流出を抑えることができる。好ましくは、高電圧ユニットは密閉ボックス内に封入するのがよい。高電圧ユニットは、必要に応じて保護材としてのシリコン又はエポキシ樹脂で覆われるが、密閉ボックスに、高電圧ユニットと共に保護材であるシリコン又はエポキシ樹脂を封入することができる。
【００１０】
ケースを構成する左右の分割ケース部がこれを一体化したときに断面逆Ｕ字形状を形成するようにするのがよい。これにより、放電電極バー回りの雰囲気の下方に流れる気流の乱れの発生を抑えることができる。
【００１１】
また、エアユニットは、その側壁に突起を設けると共に、この突起を受け入れる溝を左右の分割ケース部の内壁に設けるのがよい。これによれば、左右の分割ケース部を分離した状態で、一方の分割ケース部の溝に突起を係合させるようにしてエアユニットを組み込み、次いで、他方の分割ケース部を一方の分割ケース部と一体化させることで、左右の分割ケース部でエアユニットを挟持した状態を形成することができる。突起は、エアユニットの長手方向に延びる突条であってもよい。また、突起又は突条を左右の分割ケース部に設け、これを受け入れる溝をエアユニットに設けるようにしてもよい。本発明の他の目的や作用効果は、次の実施例の詳しい説明から明らかになるであろう。
【図面の簡単な説明】
【００１２】
【図１】従来の放電電極バーの構造を説明するための図である。
【図２】従来の放電電極バーの構造を説明するための図１のII−II線に沿った断面図である。
【図３】本発明に従う放電電極バーの構造を説明するための図である。
【図４】実施例の放電電極バーの組立分解斜視図である。
【図５】ケースの一方の分割ケース部にエアユニットを組み付ける状態を示す分解斜視図である。
【図６】ケースの一方の分割ケース部に電源ユニットなどを組み付ける状態を示す分解斜視図である。
【図７】実施例で採用された放電電極組立体の構造及びエアユニットへの組み付けを説明するための要部断面図である。
【発明を実施するための形態】
【実施例】
【００１３】
以下に、本発明の実施例を添付の図面を参照して詳しく説明する。図３は、実施例のイオン化装置の放電電極バーを説明するための図である。放電電極バー１００はケース１０１を有し、ケース１０１の内部には、その下側領域にエアユニット１０２及び放電電極組立体１０３が配置され、上側領域に、高電圧ユニット１０４と、電源回路や例えば表示回路やＣＰＵを含む制御ユニット１０５が配置されている。すなわち、放電電極バー１００は、熱源となる高電圧ユニット１０４及び制御ユニット１０５が放電電極組立体１０３と干渉しない上方領域に配置されている。したがって、隣接する放電電極組立体１０３の間に、従来のように制御ユニットなどが存在していないため、隣接する放電電極組立体１０３の間の間隔を自由に設定することができる。
【００１４】
ケース１０１は、図４では放電電極バー１００をアッセンブルするときの状態を示していることから、放電電極バー１００を設置するときとは上下逆さまの状態で図示されている。ケース１０１は、細長い断面逆Ｕ字形の形状を有し、上端（図面では下端）は、その断面が比較的滑らかな湾曲形状を有し、この上端からほぼ垂直方向に延びる側壁を有している。このケース１０１は、右分割ケース部１０１Ｒと左分割ケース部１０１Ｌとに左右に分割した構造を有している。
【００１５】
左右の分割ケース部１０１Ｌ、１０１Ｒは、プラスチック材料から作られた押出し成形品である。左右の分割ケース部１０１Ｌ、１０１Ｒの上端（図面では下端）はスライド嵌合可能になっている。すなわち、図示のケース１０１では、右分割ケース部１０１Ｒの上端（図面では下端）に、横方向に突出した拡大ヘッド１０７が形成され、この拡大ヘッド１０７は、右分割ケース部１０１Ｒの上端縁に沿って右分割ケース部１０１Ｒの全長にわたって延びている。左分割ケース部１０１Ｌの上端（図面では下端）は、その上端（図面では下端）に、拡大ヘッド１０７の輪郭と相補的な形状を有する溝１０８が形成され、この溝１０８は、左分割ケース部１０１Ｌの上端縁に沿って長手方向に延びており、溝１０８の両端は共に開放されている。溝１０８はそのいずれの端からも拡大ヘッド１０７を受け入れることができ、例えば溝１０８の一端側から拡大ヘッド１０７を挿入して、左右の分割ケース部１０１Ｌ、１０１Ｒを、相対的に、その長手方向にスライドさせることにより、左右の分割ケース部１０１Ｌ、１０１Ｒは、離脱不能な状態になり、下端（図面では上端）に向けて開放した逆Ｕ字状の断面形状を作る。勿論、拡大ヘッド１０７を左分割ケース部１０１Ｌに設け、溝１０８を右分割ケース部１０１Ｒに設けてもよい。
【００１６】
図５の図示の例では、右分割ケース部１０１Ｒは、その側壁部分に、横方向つまり水平方向に延びるベースプレート部分１０９が一体に形成され、このベースプレート部分１０９は、右分割ケース部１０１Ｒの全長にわたって延びている（図６も参照のこと）。ベースプレート１０９の幅方向の自由端つまり側縁には、９０度に上方（図５では下方）向けて屈曲した屈曲部１１０が形成されている。他方、左分割ケース部１０１Ｌは、その側壁部分にＬ字状部分１１１が形成され、このＬ字状部分１１１は、左分割ケース部１０１Ｌの全長にわたって延びている。ベースプレート部分１０９を左分割ケース部１０１Ｒに形成し、Ｌ字状部分１１１を右分割ケース部１０１Ｌに形成してもよい。
【００１７】
左右の分割ケース部１０１Ｌ、１０１Ｒを相対的にスライドさせてアッセンブルすると、上述したベースプレート部分１０９の屈曲部１１０が、Ｌ字状部分１１１によって形成される下方（図５では上方）に向けて開口する溝に受け入れられ、これにより、ベースプレート部分１０９は、ケース１０１を上下に実質的に区画する仕切壁を構成する。
【００１８】
左右の分割ケース部１０１Ｌ、１０１Ｒには、その側壁の下端部分（図５、図６では上端部分）つまりベースプレート部分１０９よりも下方（図面では上方）に、一対の突条１１３が形成され、この突条１１３は、分割ケース部１０１Ｌ、１０１Ｒの全長にわたって延びている。
【００１９】
図６は、ケース１０１の上側に配置される高電圧ユニット１０４及び制御ユニット１０５の組み付け工程を説明するための分解斜視図である。図６の参照符号１１５は、断面矩形の高電圧ユニット収容ボックスを示し、後に説明するように、このボックス１１５の中に高電圧ユニット１０４及びシリコンなどの保護剤が密閉状態で格納されている。
【００２０】
上述した制御ユニット１０５は、モジュラ基板１１６、電源基板１１７、ＣＰＵ基板１１８などを含み、モジュラ基板１１６は、台座１１９を介して、右分割ケース部１０１Ｒの側壁にネジ１２０を用いて固定される。また、右分割ケース部１０１Ｒの側壁には、同じくネジ１２０を用いて、プラスチック製の係合ピン１２１が固定され、この係合ピン１２１の錨状抜け止め先端を、電源基板１１７及びＣＰＵ基板１１８の穴に差し込むことにより、電源基板１１７及びＣＰＵ基板１１８が係合ピン１２１を介して右分割ケース部１０１Ｒの側壁に固定される。また、高電圧ユニット１１４を格納した高電圧ユニット収容ボックス１１５は、両面テープ１２３を使って、右分割ケース部１０１Ｒの側壁に固定される。
【００２１】
以上の説明から理解できるように、開放空間で作業が出来るため、制御ユニット１０５や高電圧ユニット１１４の組み込み作業は比較的容易である。
【００２２】
上述した方法で右分割ケース部１０１Ｒに固定されたモジュラ基板１１６、電源基板１１７、ＣＰＵ基板１１８、高電圧ユニット収容ボックス１１５は、右分割ケース部１０１Ｒのベースプレート部分１０９の上方領域において、右分割ケース部１０１Ｒの長手方向に沿って一列に並んだ状態で配置される。なお、右分割ケース部１０１Ｒのベースプレート部分１０９には、その長手方向端部分に切欠き１０９ａ（図５）を含み、この切欠き１０９ａを通して、高電圧ソケット付きケーブル１２５及びＧＮＤケーブル１２６がベースプレート部分１０９の下方領域に取り出される。切欠き１０９ａが比較的大きい場合には、パッキン１２７（図５）で切欠き１０９を実質的に塞いでしまい、これによりベースプレート部分１０９を挟んで、その上方領域と下方領域との間のガスの流通を極力阻止するのが好ましい。
【００２３】
図４、図５に示すように、ベースプレート部分１０９の下（図面では上）には、エアユニット１０２が設けられる。エアユニット１０２は、幅方向外方に延びるフランジ１３１を有し、このフランジ１３１は、エアユニット１０２の長手方向に延びている。エアユニット１０２の上壁（図面では下方の壁）には、上方（図面では下方）に向けて延びる円形ボス１３２がエアユニット１０２の長手方向に間隔を隔てて複数設けられている。エアユニット１０２の下壁（図面では上方の壁）には、その長手方向に間隔を隔てて複数の放電電極組み付け用円筒部分１３３が形成されている。エアユニット１０２の端壁には、エアチューブ用ジョイント１３４が設けられ、このジョイント１３４に可撓性チューブ１３５が嵌入されて、隣接するエアユニット１０２同士が連結され、また、エア源（図示せず）からエアの供給を受けるエアポート１３６（図５）と流体が流通可能に連結される。エア源からエアポート１３６（図５）に導入されたエアは、エアユニット１０２の中を通って、各放電電極組立体１０３から外部に放出される。
【００２４】
エアユニット１０２をケース１０１に組み込むには、図５に示すように、例えば右分割ケース部１０１Ｒのベースプレート部分１０９と突条１１３とで形成される溝１３７（図５）にエアユニット１０２のフランジ１３１を差し込むようにしながら、エアユニット１０２の円形ボス１３２をベースプレート部分１０９の幅方向に延びる長穴１３７に挿入することにより行われる。他方の左分割ケース部１０１Ｌを先に説明した方法で右分割ケース部１０１Ｒに組み付けることにより、エアユニット１０２は、左右のフランジ１３１が溝１３７に受け入れられた状態で定置される。このエアユニット１０２の長手方向の動きは、実質的に、円形ボス１３２と長穴１３７との係合により阻止される。例えば、フランジ１３１の面にゴムシート１３８（図５）などの緩衝材を貼着することにより、エアユニット１０２を組み込んだ後のエアユニット１０２の上下方向の遊びつまりガタツキを防止するようにしてもよい。
【００２５】
上述の工程により左右の分割ケース部１０１Ｌ、１０１Ｒの間に制御ユニット１０５やエアユニット１０２を組み込んだら、図４に示すように、エアユニット１０２をＧＮＤプレート１４０で覆う。これにより、左右の分割ケース部１０１Ｌ、１０１Ｒで形成される断面逆Ｕ字状形状の細長い開口部分は、ＧＮＤプレート１４０によって覆われる。
【００２６】
このＧＮＤプレート１４０には、エアユニット１０２の円筒部分１３３に対応する部分に開口１４１を有する。開口１４１の直径は、円筒部分１３３の外形輪郭の直径よりも大きい。ＧＮＤプレート１４０は、これを貫通するビス１４３を、エアユニット１０２の下壁（図面では上方に向いた壁）に形成した受け入れボス１４４にねじ込むことによって固定される。
【００２７】
ケース１０１は、一対のエンドキャップ１４５（図４）を含み、ＧＮＤプレート１４０を備えた左右分割ケース部１０１Ｌ、１０１Ｒの両端開口は、エンドキャップ１４５を装着することによって閉塞される。エンドキャップ１４５は、ビス１４６を用いて左右分割ケース部１０１Ｌ、１０１Ｒに固定される。
【００２８】
図７を参照して、放電電極組立体１０３は、例えばタングステンなどから作られた電極１５０と、これを支持するキャップ１５１とからなる。キャップ１５１は、電極１５０の先端近傍を支持する円形ベース１５２と、この円形ベースの周縁から上下に延びて、電極１５０の先端の周囲を囲むと共に、エアユニット１０２の円筒部分１３３の外周面と係合する外筒部分１５３と、電極１５０に沿って電極１５０の後端近傍まで延びる小径部分１５４とを有し、組立体１０３の外筒部分１５３をエアユニット１０２の円筒部分１３３に着脱自在に嵌合することによって、放電電極組立体１０３がエアユニット１０２に固定され、また、組立体１０３の小径部分１５４とエアユニット１０２の円筒部分１３３とで、エアユニット１０２のエア通路１５６に通じるエア放出通路１５７が形成される。エア源からのエアは、エアユニット１０２（エア通路１５６）からエア放出通路１５７を通じて放電電極組立体１０３の電極１５０の近傍のエア吐出ポート（図示せず）から外部に放出される。
【００２９】
エアユニット１０２は、放電電極組立体１０３の小径部分１５４の後端部分（図７では上端部分）を受け入れるスリーブ１５８を備えており、このスリーブ１５８に囲まれた底部には、ステンレス鋼からなる高電圧配板１５９が設置されている。高電圧配板１５９は、スリーブ１５８の長手方向に沿って、外部に露出しないように、ユニット１０２に形成された空間（スリーブ１５８に通じる空間）に密閉状態で収容されている。
【００３０】
組立体１０３をエアユニット１０２の円筒部分１３３に組み込むと、小径部分１５４がスリーブ１５８に嵌入すると共に電極１５０の後端面が、高電圧配板１５９の切り起こし部分１５９ａと接触して電気的に接続される。
【００３１】
小径部分１５４の後端部分（図７では上端部分）には、その周囲に円周溝を有し、この円周溝にはＯ-リング１６０が設けられている。小径部分１５４がスリーブ１５８に嵌入すると、Ｏ-リング１６０によって、高電圧配板１５９及び電極１５０の後端が位置する空間１６２が密閉された状態になる。
【００３２】
組立体１０３のキャップ１５１には、沿面放電耐性に優れた材料、例えばＣＴＩ値が高い樹脂材料を用いることが望ましい。これにより沿面放電に対する絶縁性を確保することができる。キャップ１５１や、エアユニット１０２の外筒部分１５３の外周面に、例えば図示の円周フランジ１６２を単数又は複数設けて、沿面距離を確保するのがよい。ＧＮＤプレート１４０の開口１４１の大きさは、この開口１４１を形成する周縁と、キャップ１５１やエアユニット１０２の外筒部分１５３の円周フランジ１６２の外周縁との間に離間距離が存在するように設定して、これらの間に沿面距離が出来てしまうのを防止するのがよい。この離間距離は、空間経路による放電も防止するため、放電電極１５０に印加する電圧を考慮し、一定以上の距離とするのが望ましい。
【００３３】
また、エアユニット１０２は、幾つかのパーツから作られるが、これらのパーツを互いに接合するのに、特に、エア通路１５６を形成するパーツは、例えば超音波溶着法などを用いて溶着により接合するのがよい。溶着により、エアユニット１０２の各パーツを固定することにより、絶縁性が向上し、各パーツの合わせ面に沿面経路が出来てしまうのを防止することができ、また、エアユニット１０２を構成するパーツが互いに完全に密着した状態で組み付けられているので、エア源からエアポート１３６を通じて導入されたエアを放電電極組立体１０３から吐出するまで、ケース１０１内の雰囲気から完全に隔絶した独立エア通路を形成することができる。
【００３４】
エア源からエアポート１３６にエアを供給して放電電極組立体１０３からエアを吐出させるか否かは任意である。ユーザの工場設備との関係で、放電電極組立体１０３からエアを吐出させながら放電してもよく、或いは、放電電極組立体１０３からエアを吐出させないで態様で放電電極組立体１０３を使用してもよい。放電電極組立体１０３からエアを吐出させないときには、放電電極バー１００の断面逆Ｕ字状のケース１０１が比較的幅狭であり、また、ケース１０１の側壁の上下方向長さが比較的長いことから、放電電極バー１００回りの雰囲気の下方に流れるエア流を乱すことなく通過させることでき、除電速度を高めることができる。
【００３５】
仮に、放電電極バー１００から内部エア通路１５６を省くのであれば、エアユニット１０２の代わりに、実質的にスリーブ１５８を含むベースとこのスリーブ１５８に囲まれた底部に配した高電圧配板１５９とを用意すれば足りる。この高電圧配板１５９は、ケース１０１の内部を適当なプラスチック成形材料で囲って、外部への露出させないようにするのがよい。これにより、シリコン充填剤で高電圧配板１５９を覆う必要が無くなる。
【００３６】
当業者であれば理解できるように、上述した放電電極バー１００及びこれを含むイオン化装置の給電は、ＡＣであってもＤＣであってもよい。放電電極バー１００のケース１０１を左右の分割ケース部１０１Ｌ、１０１Ｒで構成したことから、放電電極バー１００のアッセンブルが容易である。また、ケース１０１の内部がベースプレート部分１０９によって実質的に上下に仕切られていることから、上方領域を下方領域から実質的に隔離することができる。
【符号の説明】
【００３７】
１００  放電電極バー
１０１  ケース
１０２  エアユニット
１０３  放電電極組立体
１０４  高電圧ユニット
１０５  制御ユニット
１０１Ｒ  右分割ケース部
１０１Ｌ  左分割ケース部
１０９  ベースプレート部分（仕切壁）
１０７  右分割ケースの上端の拡大ヘッド
１０８  左分割ケースの溝(拡大ヘッドを受け入れる)
１１５  高電圧ユニット収容ボックス
１３１  エアユニットのフランジ(突起又は突条)
１３３  エアユニットの下方に突出した円筒部分
１３６  エンドキャップのエアポート
１３７  ケースの溝
１４０  ＧＮＤプレート
１４１  ＧＮＤプレートの開口
１４５  エンドキャップ
１５０  放電電極
１５３  放電電極組立体の外筒部分
１５４  放電電極組立体の小径部分
１５７  エア放出通路
【図１】
2010257992.tif 000003
【図２】
2010257992.tif 000004
【図３】
2010257992.tif 000005
【図４】
2010257992.tif 000006
【図５】
2010257992.tif 000007
【図６】
2010257992.tif 000008
【図７】
2010257992.tif 000009